(57)【要約】【課題】比較的狭い場所でも取り付け作業を容易に行うことができ、ヒンジの位置調節を適切に行える天袋を取り付ける方法およびその天袋を提供する。【解決手段】壁面７と天井８とを利用して天袋を取り付ける方法であって、該天袋は側板５と底板６とからなる正面視コ字型の箱体Ａとこの箱体Ａにヒンジ結合される扉部Ｂとからなり、該扉部Ｂは扉板２とヒンジ取り付け桿１とからなるとともに、該ヒンジ取り付け桿１にはヒンジを取り付けるための上部カップ穴３ａと下部カップ穴３ｂとが設けられ、上記側板５と扉板２の端部を切断除去して高さ寸法合わせを行い、上記ヒンジ取り付け桿１の略中央部を切断除去して高さ寸法合わせを行い、設置場所に対応して天袋を取り付ける方法、およびその天袋Ｃ。【選択図】図３
2008144365.tif 000002
【特許請求の範囲】
【請求項１】
壁面と天井とを利用して天袋を取り付ける方法であって、該天袋は側板と底板とからなる正面視コ字型の箱体とこの箱体にヒンジ結合される扉部とからなり、該扉部は扉板とヒンジ取り付け桿とからなるとともに、該ヒンジ取り付け桿にはヒンジを取り付けるための上部カップ穴と下部カップ穴とが設けられ、上記側板と扉板の端部を切断除去して高さ寸法合わせを行い、上記ヒンジ取り付け桿の略中央部を切断除去して高さ寸法合わせを行い、設置場所に対応して天袋を取り付ける方法。
【請求項２】
上記ヒンジ取り付け桿の上端から所定距離をおいて上部カップ穴が設けられ、下端から上記と同所定距離をおいて下部カップ穴が設けられた請求項１に記載の天袋を取り付ける方法。
【請求項３】
上記ヒンジ取り付け桿の略中央部を切断除去して高さ寸法合わせを行い再接続した後、カバー部材で該ヒンジ取り付け桿を覆う請求項１に記載の天袋を取り付ける方法。
【請求項４】
上記ヒンジがスライドヒンジである請求項１に記載の天袋を取り付ける方法。
【請求項５】
壁面と天井とを利用して取り付けられる天袋であって、該天袋は側板と底板とからなる正面視コ字型の箱体とこの箱体にヒンジ結合される扉部とからなり、該扉部は扉板とヒンジ取り付け桿とからなるとともに、該ヒンジ取り付け桿にはヒンジを取り付けるための上部カップ穴と下部カップ穴とが設けられ、上記側板と扉板の端部を切断除去して高さ寸法合わせを行い、上記ヒンジ取り付け桿の略中央部を切断除去して高さ寸法合わせを行い、設置場所に対応して取り付けられた天袋。
【発明の詳細な説明】
【技術分野】
【０００１】
本発明は、天袋を取り付ける方法に関する。さらに詳しくは、キッチンやトイレ等比較的狭い場所で設置場所に対応して天袋を取り付ける方法、およびその天袋に関する。
【背景技術】
【０００２】
従来、キッチンやトイレ内において、キッチン用の器具や食器類、あるいはトイレ用の種々の小物類を収納するために天袋を設けることが行われている。この天袋は、キッチンやトイレの上方の空間を有効に利用できるため、しばしば設けられ、通常、天井の隅部に取り付けられることが多い。その場合、天袋自体の背板はキッチンやトイレの壁面を利用し、天袋の天板としては天井自体が利用される。
【０００３】
また、天袋を構成する左右の側板には、収納物を出し入れする際に開閉する扉がヒンジによって取り付けられるが、上記した天井の隅部等、コーナー部に取り付けられる天袋に扉を回動自在に取り付ける場合、スライドヒンジが好適に用いられる。このスライドヒンジは、下記特許文献１に記載のように、天袋のような筐体の側板の内側面に取り付けられる被嵌着部材と、扉の内側面に取り付けられる嵌着部材とに分割して構成され、現場において、筐体、例えば、天袋を天井の隅部に固定した後、嵌着部材を被嵌着部材に嵌着係合し、ネジで両者を結合してヒンジを完成し、扉を筐体の側板に回動自在に取り付けるものである。
【０００４】
このスライドヒンジは扉を筐体の側板内側に作業性よく、簡単かつ迅速に取り付けられる利点があることから、近年、家具用として多く採用されている。また、上記天袋にかかわらず、一般家庭内で家具類を部屋のコーナー部に配置する場合、扉の開度は壁面によって制約されるが、このような場合でも扉自体をスライドさせて約９０度回動できるという利点もある。このスライドヒンジは、扉を回動自在に、かつ、扉の重量を支持する必要があるため、強度が求められ、下記特許文献１には、リンクの強度を向上させ、改良されたスライドヒンジが開示されている。
【特許文献１】特開平７−６２９４４号公報（第１〜３頁、第２図、第５図）
【発明の開示】
【発明が解決しようとする課題】
【０００５】
一方、従来、天井隅部に天袋を取り付ける場合、本願図８に示すように、側板と底板とからなり上が開口した正面視コ字型の箱体を、キッチンやトイレの壁面と天井を利用して取り付け、その後、扉が取り付けられる。このとき、天井の高さが低い場合等、側板と扉の端部を設置場所で高さ寸法合わせして切断する必要がある。しかしながら、狭い、窮屈な現場では作業性が悪く、とくに、扉の取り付けはヒンジの位置を適切に調節して行うことが困難という問題がある。
【０００６】
本発明は、このような問題を解決して、キッチンやトイレ等の比較的狭い場所においても、設置場所での取り付け作業を容易に行うことができるとともに、ヒンジの位置調節を適切に行える天袋を取り付ける方法およびその天袋を提供することを、その課題とする。
【課題を解決するための手段】
【０００７】
上記課題を解決するために、本発明においては、つぎのような技術的手段を講じている。すなわち、請求項１に記載の発明によれば、壁面と天井とを利用して天袋を取り付ける方法であって、該天袋は側板と底板とからなる正面視コ字型の箱体とこの箱体にヒンジ結合される扉部とからなり、該扉部は扉板とヒンジ取り付け桿とからなるとともに、該ヒンジ取り付け桿にはヒンジを取り付けるための上部カップ穴と下部カップ穴とが設けられ、上記側板と扉板の端部を切断除去して高さ寸法合わせを行い、上記ヒンジ取り付け桿の略中央部を切断除去して高さ寸法合わせを行い、設置場所に対応して天袋を取り付ける方法が提供される。
【０００８】
請求項２に記載の天袋を取り付ける方法は、請求項１に記載の発明に加えて、上記ヒンジ取り付け桿の上端から所定距離をおいて上部カップ穴が設けられ、下端から上記と同所定距離をおいて下部カップ穴が設けられる。
【０００９】
請求項３に記載の天袋を取り付ける方法は、請求項１に記載の発明に加えて、上記ヒンジ取り付け桿の略中央部を切断除去して高さ寸法合わせを行い再接続した後、カバー部材で該ヒンジ取り付け桿を覆うことが好ましい。
【００１０】
請求項４に記載の天袋を取り付ける方法は、請求項１に記載の発明に加えて、上記ヒンジがスライドヒンジであることが好ましい。
【００１１】
請求項５に記載の発明によれば、壁面と天井とを利用して取り付けられる天袋であって、該天袋は側板と底板とからなる正面視コ字型の箱体とこの箱体にヒンジ結合される扉部とからなり、該扉部は扉板とヒンジ取り付け桿とからなるとともに、該ヒンジ取り付け桿にはヒンジを取り付けるための上部カップ穴と下部カップ穴とが設けられ、上記側板と扉板の端部を切断除去して高さ寸法合わせを行い、上記ヒンジ取り付け桿の略中央部を切断除去して高さ寸法合わせを行い、設置場所に対応して取り付けられた天袋が提供される。
【発明の効果】
【００１２】
請求項１に記載の発明にかかる天袋を取り付ける方法は上記のとおりであり、正面視コ字型の箱体とこの箱体にヒンジ結合され、扉板とヒンジ取り付け桿とからなる扉部とから構成され、該ヒンジ取り付け桿にはヒンジが取り付けられる上部カップ穴と下部カップ穴とが設けられ、上記側板と扉板の端部を切断除去するとともに、上記ヒンジ取り付け桿の略中央部を切断除去して高さ寸法合わせを行い、設置場所に対応して天袋を取り付けるため、キッチンやトイレ等の比較的狭い、窮屈なところでも、現場で作業性よく、体裁よく天袋を取り付けることができる。
【００１３】
請求項２に記載の天袋を取り付ける方法は上記のとおりであり、上記ヒンジ取り付け桿の上端から所定距離をおいて上部カップ穴が設けられ、下端から上記と同所定距離をおいて下部カップ穴が設けられているため、上下２個のヒンジを適切な間隔をおいて、上下対称な位置に取り付けることができる。
【００１４】
請求項３に記載の天袋を取り付ける方法は上記のとおりであり、請求項１の天袋を取り付ける方法の有する効果に加え、上記ヒンジ取り付け桿の略中央部を切断除去して高さ寸法合わせを行い再接続した後、カバー部材で該ヒンジ取り付け桿を覆うため、再接続した後に生じる接続部を目隠しすることができる。
【００１５】
請求項４に記載の天袋を取り付ける方法は上記のとおりであり、請求項１の天袋を取り付ける方法の有する効果に加え、上記ヒンジをスライドヒンジとすることにより、見栄えよく扉部を箱体に取り付けることができ、また、扉自体をスライドさせて回動し、壁面側の扉部を壁面に当接するまで約９０度開くことができる。
【００１６】
請求項５に記載の発明にかかる天袋は上記のとおりであり、正面視コ字型の箱体とこの箱体にヒンジ結合され、扉板とヒンジ取り付け桿とからなる扉部とからなり、該ヒンジ取り付け桿にはヒンジを取り付けるための上部カップ穴と下部カップ穴とが設けられ、上記側板と扉板の端部を切断除去するとともに、上記ヒンジ取り付け桿の略中央部を切断除去して高さ寸法合わせを行い、設置場所に対応した天袋であるため、キッチンやトイレ等の比較的狭い、窮屈なところでも、現場で作業性よく、体裁よく取り付けられる天袋を提供することができる。
【発明を実施するための最良の形態】
【００１７】
以下、キッチンやトイレの天井隅部に天袋を取り付ける場合を例にとり、本発明にかかる天袋を取り付ける方法の実施形態について、図面を参照して詳細に説明する。まず、図１に示すように、側板５と底板６とからなる上が開口した正面視コ字型の箱体Ａを、壁面７を天袋自体の背板として、また、天井８を天袋自体の天板として利用するとともに、図１に点線で示した高さｈの部分を切断して取り除き、設置場所に対応して高さ寸法合わせを行う。このとき、上記箱体Ａに開閉自在に取り付けられる扉部も同様に、高さを調節する必要がある。
【００１８】
図２は、本発明の天袋を取り付ける方法を説明する分解斜視図である。本発明の方法においては、図２に示すように、扉部Ｂは、扉板２と、ヒンジを取り付けるための上部カップ穴３ａおよび下部カップ穴３ｂを備えたヒンジ取り付け桿１とから構成されている。上記箱体Ａの側板５と扉部Ｂの扉板２の高さは、現場で高さ寸法合わせをして電動鋸等で高さｈの端部を切断して除去することにより比較的簡単に高さを調節することができる。しかし、上下２個のヒンジは適切な間隔をおいて、上下対称な位置に取り付ける必要があるため、ヒンジ取り付け桿１に設けられたヒンジを取り付けるための上部カップ穴３ａと下部カップ穴３ｂとは適切な間隔をおいて、上下対称に凹設する必要がある。
【００１９】
そこで、本発明の方法においては、図３に示すように、上部カップ穴３ａをヒンジ取り付け桿１の上端より所定距離ｄをおいて設け、下部カップ穴３ｂも下端より同じく距離ｄをおいて設け、扉部Ｂの扉板２で切断して除かれる扉板部分２ａの高さｈに相当する部分を、ヒンジ取り付け桿１の略中央部を切断して取り除く。このようにした後、ヒンジ取り付け桿１の嵌合凸部１１を扉板２の側端面に凹設された嵌合凹部２１に嵌着し、全体の高さが側板５の高さに合わされた扉部Ｂを形成することができる。
【００２０】
図４は、上記のようにして寸法を調節し、ヒンジ取り付け桿１の嵌合凸部１１を扉板２の側端面に凹設された嵌合凹部２１に嵌着して形成した扉部Ｂを示す斜視図である。図４において、符号１２は高さｈに相当する部分を除去されたヒンジ取り付け桿１において、上部カップ穴３ａを有する上部ヒンジ取り付け桿１ａと下部カップ穴３ｂを有する下部ヒンジ取り付け桿１ｂの接続部を示す。
【００２１】
本発明の方法においては高さ調節を行ったヒンジ取り付け桿１の上記した接続部１２は外部に露出するため、図５に示すように、カバー部材９でヒンジ取り付け桿１を覆い、目隠しする。このとき、カバー部材９をヒンジ取り付け桿１に覆設する方法は、とくに限定されず、カバー部材９を弾性のある合成樹脂から形成して弾性係合する方法、接着する方法、ビス留めする方法等、公知の方法によって行われる。このとき、図５に示されるように、上記上部カップ穴３ａと下部カップ穴３ｂとは、カバー部材９で覆われることなく貫通露出している。
【００２２】
上記のようにすることによって、上部カップ穴３ａと下部カップ穴３ｂとを上下対称な位置に、また、適切な間隔をおいて設けることが可能となり、図６に示すように、上部カップ穴３ａと下部カップ穴３ｂとにスライドヒンジ４の扉固定部を固定し、該扉固定部と、側板５の内側に固定されたスライドヒンジ４の図示しない側板固定部とを結合することにより、箱体Ａに扉部Ｂを開閉自在に取り付けることができる。
【００２３】
図７は、上記本発明の天袋を取り付ける方法を実施して形成された天袋Ｃを示す斜視図である。図７に示されているように、本発明の天袋の取り付け方法を実施することにより、キッチンやトイレのような狭い、窮屈なところでも、天井隅部に天袋Ｃを作業性よく、体裁よく取り付けできることが明らかである。
【００２４】
なお、本発明においては、１本のヒンジ取り付け桿１の上端部と下端部とから略等距離の位置にそれぞれ上部カップ穴３ａと下部カップ穴３ｂとを設けたが、上部カップ穴３ａを有するヒンジ取り付け桿１ａと下部カップ穴３ｂを有するヒンジ取り付け桿１ｂとを別部品とし、それぞれの高さを調節して、扉板２と同じ高さに高さ寸法合わせをしてもよい。このように、本発明は種々設計変更自在であり、特許請求の範囲を逸脱しない限り、本発明の技術的範囲に属する。
【図面の簡単な説明】
【００２５】
【図１】本発明の天袋を取り付ける方法にかかる箱体を示す説明図である。
【図２】本発明の天袋を取り付ける方法を説明する分解斜視図である。
【図３】本発明の天袋を取り付ける方法において扉部の高さ寸法合わせ方法を示す説明図である。
【図４】本発明の天袋を取り付ける方法によって寸法を調節された扉部を示す斜視図である。
【図５】図４に示す高さを調節された扉部にカバー部材が覆設された状態を示す斜視図である。
【図６】図５に示す寸法に調節され、カバー部材が覆設された扉部のカップ穴にスライドヒンジを固定した状態を示す斜視図である。
【図７】本発明の天袋を取り付ける方法を実施して形成された天袋を示す斜視図である。
【図８】本発明の天袋を取り付ける方法を適用する公知の箱体を示す説明図である。
【符号の説明】
【００２６】
Ａ          本発明の天袋を取り付ける方法にかかる箱体
Ｂ          本発明の天袋を取り付ける方法にかかる扉部
Ｃ          本発明の天袋を取り付ける方法を実施して形成された天袋
１          ヒンジ取り付け桿
１１        嵌合凸部
１２        接続部
１ａ        上部ヒンジ取り付け桿
１ｂ        下部ヒンジ取り付け桿
２          扉板
２１        嵌合凹部
２ａ        切断して除かれる扉板部分
３ａ        上部カップ穴
３ｂ        下部カップ穴
４          スライドヒンジ
５          側板
６          底板
７          壁面
８          天井
９          カバー部材
【図１】
2008144365.tif 000003
【図２】
2008144365.tif 000004
【図３】
2008144365.tif 000005
【図４】
2008144365.tif 000006
【図５】
2008144365.tif 000007
【図６】
2008144365.tif 000008
【図７】
2008144365.tif 000009
【図８】
2008144365.tif 000010